(57)【特許請求の範囲】
【請求項１】
画像形成処理を行う画像形成装置と、ユーザ認証を行う認証サーバと、情報提供サーバと、情報配信サーバとを有する画像処理システムであって、
前記情報提供サーバは、
少なくともユーザへの情報送信先を示す宛先情報を含むユーザの個人情報を取得した場合、前記画像形成処理に対する操作情報以外の広告情報を示す配信情報に、前記取得した個人情報に含まれる宛先情報へ配信情報を送信するための送信制御情報と、配信情報を印刷するための印刷制御情報とを追加し、それ以外の場合、前記配信情報に、前記印刷制御情報を追加する第１の追加手段と、
前記配信情報の配信先に応じて予め定められた前記ユーザの個人情報表示設定に基づいて、前記ユーザの個人情報に含まれる情報のうち、表示が許可された情報を、前記第１の追加手段により情報が追加された配信情報にさらに追加する第２の追加手段と、
前記第１の追加手段および前記第２の追加手段により情報が追加された配信情報を、前記情報配信サーバに対して送信する配信情報送信手段と
を備え、
前記情報配信サーバは、
前記ユーザの個人情報と、ユーザ認証に用いられる情報とを含む認証情報を取得する取得手段と、
前記取得した認証情報が、前記ユーザ認証サーバにより認証された場合、前記取得した認証情報に含まれる前記個人情報を、前記情報提供サーバに対して送信する個人情報送信手段と、
前記情報提供サーバから送信された配信情報を、前記画像形成装置に対して配信する配信手段と
を備え、
前記画像形成装置は、
前記情報配信サーバから配信された配信情報の表示を制御する表示制御手段と、
前記配信された配信情報に前記送信制御情報が含まれている場合、前記送信制御情報に基づいて、前記宛先情報が示す送信先に対する前記配信された配信情報の送信を制御する送信制御手段と
を備える
画像処理システム。
【請求項２】
前記画像形成装置は、
前記配信された配信情報に含まれる印刷制御情報に基づいて、前記配信された配信情報の印刷を制御する印刷制御手段
をさらに備える
請求項１に記載の画像処理システム。
【請求項３】
前記ユーザの個人情報は、ユーザが決済を行うために用いられる決済情報を含み、
前記情報提供サーバの第１の追加手段は、
ユーザの個人情報を取得した場合、前記配信情報に、前記個人情報に含まれる決済情報を用いて決済するための決済制御情報をさらに追加し、
前記画像形成装置は、
前記配信された配信情報に含まれる決済制御情報に基づいて、前記配信情報に対する決済を制御する決済制御手段
をさらに備える
請求項１または２に記載の画像処理システム。
【請求項４】
前記配信情報は、鉄道の運行情報、観光案内情報またはイベント情報を示す
請求項１〜３のいずれかに記載の画像処理システム。
【請求項５】
前記認証情報は、前記画像形成装置に対して着脱可能な記憶媒体に記憶され、
前記画像形成装置は、
前記記憶媒体に記憶された前記認証情報を読み取る読取手段と、
前記読み取られた認証情報を、前記情報配信サーバに対して送信する認証情報送信手段と
をさらに備える
請求項１〜４のいずれかに記載の画像処理システム。
【請求項６】
画像形成処理を行う画像形成装置と、ユーザ認証を行う認証サーバと、情報提供サーバと、情報配信サーバとを有する画像処理システムにおいて、
前記情報提供サーバのコンピュータに、
少なくともユーザへの情報送信先を示す宛先情報を含むユーザの個人情報を取得した場合、前記画像形成処理に対する操作情報以外の広告情報を示す配信情報に、前記取得した個人情報に含まれる宛先情報へ配信情報を送信するための送信制御情報と、配信情報を印刷するための印刷制御情報を追加し、それ以外の場合、配信情報に、前記印刷制御情報を追加する第１の追加ステップと、
前記配信情報の配信先に応じて予め定められた前記ユーザの個人情報表示設定に基づいて、前記ユーザの個人情報に含まれる情報のうち、表示が許可された情報を、前記第１の追加ステップにより情報が追加された配信情報にさらに追加する第２の追加ステップと、
前記第１の追加ステップおよび前記第２の追加ステップにより情報が追加された配信情報を、前記情報配信サーバに対して送信する配信情報送信ステップと
を実行させ、
前記情報配信サーバのコンピュータに、
前記ユーザの個人情報と、ユーザ認証に用いられる情報とを含む認証情報を取得する取得ステップと、
前記取得した認証情報が、前記ユーザ認証サーバにより認証された場合、前記取得した認証情報に含まれる前記個人情報を、前記情報提供サーバに対して送信する個人情報送信ステップと、
前記情報提供サーバから送信された配信情報を、前記画像形成装置に対して配信する配信ステップと
を実行させ、
前記画像形成装置のコンピュータに、
前記情報配信サーバから配信された配信情報の表示を制御する表示制御ステップと、
前記配信された配信情報に前記送信制御情報が含まれている場合、前記送信制御情報に基づいて、前記宛先情報が示す送信先に対する前記配信された配信情報の送信を制御する送信制御ステップと
を実行させる
プログラム。
【発明の詳細な説明】
【技術分野】
【０００１】
本発明は、広告情報等の通常の操作画面以外の情報の表示を行う画像形成装置に関する。
【背景技術】
【０００２】
近年、オフィス内だけでなく、コンビニエンスストア、図書館、市役所等の不特定多数の人が集まる場所にもコピー機、プリンタ等の画像形成装置が設置されるようになっている。また、操作画面を表示するために画像形成装置に設けられる表示装置も大型化されている。そのため、画像形成装置の表示装置に、広告情報等の通常の操作画面以外の情報を表示して表示装置を有効利用することが行われるようになっている。
【０００３】
特許文献１では、ユーザの操作により、表示中の広告からさらに詳細な情報を画面に表示したり印刷したりすることができるファクシミリ装置が開示されている。
【０００４】
【特許文献１】特開２００１−３２０５２２号公報
【発明の開示】
【発明が解決しようとする課題】
【０００５】
しかしながら、特許文献１に開示された手法は、いずれのユーザに対しても同一の画面を表示するので、広告掲載の効果が低かった。
【０００６】
本発明の目的は、画面に表示される広告掲載の効果を向上することである。
【課題を解決するための手段】
【０００７】
上記目的を達成するために、本発明に係る画像形成装置は、通常の操作画面及び通常の操作画面以外の情報を表示する表示手段と、記憶媒体に記憶された識別情報から、当該個人情報を取得する個人情報取得手段と、前記個人情報取得手段により取得された個人情報と、前記表示手段により表示される通常の操作画面以外の情報とに基づいて後処理を制御する制御手段とを有する。本発明によれば、ユーザに適した広告情報を表示することができる。このため、広告掲載の効果を向上することができる。
【０００８】
好ましくは、前記制御手段は、前記個人情報取得手段により取得された個人情報が前記表示手段により表示される通常の操作画面以外の情報に含まれるように前記表示手段により表示される情報を制御する。本発明によれば、ユーザに応じて、ユーザの個人情報を含む通常の操作画面以外の情報を表示することができる。このため、広告掲載の効果を向上することができる。
【０００９】
好ましくは、前記制御手段は、前記表示手段により表示される通常の操作画面以外の情報に関連した情報に、前記個人情報取得手段により取得された個人情報が含まれるように印刷を制御する。本発明によれば、ユーザに応じて、操作画面以外の情報に関連する情報を印刷することができる。したがって、情報の入手が容易となるので、広告掲載の効果をさらに向上することができる。
【００１０】
好ましくは、前記制御手段は、前記表示手段により表示される通常の操作画面以外の情報に関連した情報が、前記個人情報取得手段により取得された個人情報に含まれる宛先に送信されるように制御する。本発明によれば、ユーザに応じて、操作画面以外の情報に関連する情報を当該ユーザに対してメールで送信することができる。したがって、情報の入手が容易となるので、広告掲載の効果をさらに向上することができる。
【００１１】
好ましくは、前記表示手段は、通常の操作画面以外の情報として広告及びサービスの少なくともいずれかに関する情報を表示し、前記表示手段により表示された広告及びサービスの少なくともいずれかに対して、前記記憶媒体に記憶された識別情報もしくは前記個人情報取得手段により取得された個人情報を用いて決済を行う決済手段をさらに有する。本発明によれば、操作画面以外の情報に関する決済を簡易に行うことができる。したがって、商品やサービスの購入が容易となるので、広告掲載の効果をさらに向上することができる。
【００１２】
好ましくは、情報が記憶された磁気記録媒体を読み取る媒体読取手段をさらに有し、前記個人情報取得手段は、前記媒体読取手段により読み取られた情報に基づいて個人情報を取得する。本発明によれば、ユーザ名やパスワードが入力されない場合においても、個人認証を行うことができる。
【００１３】
また、本発明に係るプログラムは、通常の操作画面と通常の操作画面以外の情報を表示する画面とを切り替える画面切り替え制御方法をコンピュータに実行させるためのプログラムであって、記憶媒体に記憶された識別情報から、当該個人情報を取得する個人情報取得ステップと、前記取得された個人情報と、前記表示される通常の操作画面以外の情報とに基づいて後処理を制御する制御ステップとをコンピュータに実行させる。本発明によれば、ユーザに適した広告情報を表示することができる。このため、広告掲載の効果を向上することができる。
【発明の効果】
【００１４】
以上説明したように、本発明によれば、画面に表示される広告掲載の効果を向上することができる。
【発明を実施するための最良の形態】
【００１５】
本発明の実施の形態について図面を参照して詳細に説明する。
図１は、本発明の実施形態に係る画像処理システム１の構成を示す図である。
図１に示すように、本実施形態の画像処理システムは、ＬＡＮ（Local Area Network）、ＷＡＮ（Wide Area Network）などのネットワーク４０を介して接続された画像形成装置１０、広告情報配信サーバ３０、広告情報提供サーバ６０、サービス情報提供サーバ７０及び認証サーバ８０を含む。
【００１６】
画像形成装置１０は、印刷機能、複写機能、ファクシミリ送受信機能、スキャン機能を有する複合機である。広告情報配信サーバ３０は、画像形成装置１０の表示装置に表示するための各種広告情報が格納されており、予め設定された手順に基づいて広告情報を画像形成装置１０に配信する。
【００１７】
なお、本実施形態では、通常の操作画面以外の情報として広告情報を用いた場合について説明するが、本発明は、鉄道の運行状況、周辺の観光案内情報、イベント情報等の広告情報以外の他の情報を通常の操作画面以外の情報として画像形成装置１０の表示装置に表示させる場合でも同様に適用可能である。
【００１８】
広告情報提供サーバ６０及びサービス情報提供サーバ７０は、配信の対象となるＷｅｂサイトを提供するサーバである。認証サーバ８０は、ユーザの識別子（ＩＤ）及び当該ＩＤに対応する付加情報を記憶し、画像形成装置１０のユーザを認証する。
【００１９】
図２は、本実施形態の画像形成装置１０の外観の拡大図である。
図２に示されるように、本実施形態の画像形成装置１０は、通常の操作画面及び広告情報を表示するための表示装置１１、認証装置１２、受話器１３、課金装置１４、用紙トレイ１５を有している。
【００２０】
認証装置１２は、例えば、非接触方式のＩＣカード等の記憶媒体に記憶されているユーザのＩＤなどの識別情報を読み取る。読み取った識別情報により、利用料金を課金することも可能である。受話器１３は、一般公衆電話回線と接続されており、通常の電話機として使用可能となっている。画像形成装置１０のファクシミリ機能を使用する場合に、先ずこの受話器１３を用いて電話回線に接続し、送信先を確認してからファクシミリデータを送信することができるようになっている。
【００２１】
課金装置１４は、認証を受けないユーザに対して画像形成装置１０の利用料金を課金するための装置である。この課金装置１４にコインを投入することにより、ユーザは、投入されたコインに相当する料金分だけ画像形成装置１０を利用することができるようになっている。つまり、このような課金装置１４が設けられていることにより、認証カードを有しないユーザに対しても画像形成装置１０の各種機能が利用可能となる。
【００２２】
用紙トレイ１５は、複写しようとする原稿、スキャナにより読み込もうとする原稿、ファクシミリ送信を行おうとする原稿をセットするためのトレイである。
【００２３】
図３は、本実施形態の画像形成装置１０のハードウェア構成を示す図である。
図３に示されるように、画像形成装置１０は、ＣＰＵ１６、メモリ１７、ハードディスクドライブ（ＨＤＤ）等の記憶装置１８、用紙などの記録媒体に印刷する印刷装置１９、ネットワーク４０を介して広告情報配信サーバ３０等の外部の装置との間でデータの送受信を行う通信インタフェース（ＩＦ）２０、タッチパネル、操作ボタン又は表示ランプ等を含むユーザインタフェース（ＵＩ）装置２１、スキャナ２２、表示装置１１、課金装置１４、認証装置１２を有する。これらの構成要素は、制御バス２３を介して互いに接続されている。
【００２４】
ＣＰＵ１６は、メモリ１７又は記憶装置１８に格納された画像処理プログラムに基づいて所定の処理を実行して、画像形成装置１０の動作を制御する。なお、広告情報配信サーバ３０、広告情報提供サーバ６０、サービス情報提供サーバ７０及び認証サーバ８０もまた、ＣＰＵ１６、メモリ１７、記憶装置１８、通信ＩＦ２０など、ネットワークを介してデータの通信を行うコンピュータとして動作可能なハードウェア構成を有する。
【００２５】
図４は、画像処理プログラムが実行されることにより実現される画像形成装置１０の機能構成を示すブロック図である。
図４に示されるように、画像形成装置１０は、広告情報取得部５１と、広告表示判定部５２と、制御部５３と、メール送信部５４と、決済部５５と、表示装置１１と、認証装置１２と、印刷装置１９とを備えている。
【００２６】
制御部５３は、これらの構成要素を制御し、構成要素との間でデータの入出力を行う。また、制御部５３は、Ｗｅｂブラウザ等のアプリケーションソフトウェアにより、画像形成装置１０を操作するための通常の操作画面を表示するための画像データ及び広告情報取得部５１により取得された広告情報を表示するための画像データを生成し、表示装置１１に表示する。
【００２７】
さらに、制御部５３は、認証装置１２により取得された個人情報と、表示装置１１により表示される通常の操作画面以外の情報とに基づいて後処理を制御する。より具体的には、制御部５３は、認証装置１２により取得された個人情報が表示装置１１により表示される広告情報に含まれるように当該情報を制御する。また、制御部５３は、取得された個人情報を用いて、広告情報に関連する情報の印刷、メール送信、ファクシミリ送信等を制御する。
【００２８】
広告情報取得部５１は、ネットワーク４０を介して広告情報配信サーバ３０から配信される広告情報を取得する。広告情報取得部５１は、広告情報を取得する旨の出力を後述する広告表示判定部５２から受け付けた契機で広告情報を取得する。広告情報は、ＨＴＭＬ（HyperText Markup Language）形式、ＸＭＬ（Extensible Markup Language）形式及び画像ファイルの少なくともいずれかであり、広告情報配信サーバ３０の記憶装置１８に記憶されている。なお、広告情報の配信については、後で詳述する。 
【００２９】
広告表示判定部５２は、ユーザによる操作がない期間が予め設定された所定期間を超えたか否かを判定し、当該操作がない期間が所定期間を超えた場合、広告情報を取得する旨の出力を広告情報取得部５１に対して出力する。
【００３０】
メール送信部５４は、認証装置１２により取得された個人情報に含まれるメールアドレスに対して、制御部５３により制御された情報を含む電子メールを送信する。
【００３１】
決済部５５は、認証装置１２により取得された個人情報に基づいて広告又はサービスの代金を決済する。より具体的には、決済部５５は、Ｗｅｂブラウザに表示されているＷｅｂコンテンツから実行可能な形式で実現される。例えば、決済部５５は、ローカルアドレスのＨｔｔｐリクエストにより実行されるｃｇｉ（Common Gateway Interface）である。なお、決済処理については、後で詳述する。
【００３２】
図５は、広告情報配信サーバ３０に登録されている広告情報の配信先リストである。
図５に示すように、配信先リストには、インターネット上に存在するサイトのＵＲＬが登録されている。画像処理システム１には、このようなサイトの実施例として、広告情報提供サーバ６０及びサービス情報提供サーバ７０が含まれる。
【００３３】
したがって、広告情報配信サーバ３０は、配信先リストに含まれる広告情報提供サーバ６０により提供される広告情報及びサービス情報提供サーバ７０により提供されるサービスを画像形成装置１０の表示装置１１に表示させる。複数のサイトが配信先リストに登録されている場合、広告情報等は、所定時間、循環して表示される。なお、配信先リストにサイトが登録されていない場合、広告情報配信サーバ３０は、予め設定されている所定の情報を画像形成装置１０に表示させる。
【００３４】
また、配信先リストには、広告情報配信サーバ３０から広告情報提供サーバ６０等の配信先に対して送信される個人情報が登録されている。送信対象の個人情報は、例えば、氏名、メールアドレス、住所等である。これらの属性のそれぞれには、オン及びオフのいずれかが登録されている。属性にオンが登録されている場合、属性の内容が広告情報配信サーバ３０から広告情報提供サーバ６０等に送信される。
【００３５】
例えば、広告情報配信サーバ３０は、Ｈｔｔｐヘッダに拡張フィールドを使用する、又はＰＯＳＴリクエストを生成してデータとして付加する等の手法で、画像形成装置１０から送信された個人情報を広告情報提供サーバ６０等に送信する。したがって、広告情報提供サーバ６０等が個人情報を受け取ると、広告情報提供サーバ６０等は、受け取った個人情報を広告情報等に含め、個人情報を含む広告情報等を広告情報配信サーバ３０に対して送信する。
【００３６】
図６は、認証サーバ８０に登録されている認証データを示す図である。
図６に示すように、認証データには、ユーザＩＤ、パスワード、氏名、メールアドレス等の属性が含まれる。認証処理は、広告情報配信サーバ３０により送信されるユーザＩＤ及びパスワードに基づいて、認証サーバ８０により実行される。したがって、画像形成装置１０が広告情報配信サーバ３０に対してユーザＩＤ及びパスワードを送信すると、広告情報配信サーバ３０は送信されたユーザＩＤ等に基づいて認証サーバ８０を介して個人の認証を行い、認証結果を画像形成装置１０に対して送信する。
【００３７】
認証サーバ８０には、ゲストユーザ用データ（本例では、ユーザＩＤが０００００であり、パスワードが０００００であるデータ）と、個人ユーザ用データ（本例では、ユーザＩＤが００００１以降のデータ）とが含まれている。したがって、ゲストユーザ用データのユーザＩＤ及びパスワードが送信された場合、ユーザはゲストユーザとして認証される。なお、個人データに含まれる属性は本例に限定されず、個人データには他の属性が含まれてもよい。
【００３８】
次に、本実施形態の画像形成装置１０の動作を図面を参照して詳細に説明する。
図７は、本実施形態に係る画像形成装置１０による広告情報取得処理（Ｓ１０）を示すフローチャートである。
図７に示すように、ステップ１００（Ｓ１００）において、画像形成装置１０の広告情報取得部５１は、広告情報配信サーバ３０に対して広告情報を要求する。例えば、広告情報取得部５１は、ＨＴＴＰリクエストを送信する。
【００３９】
広告情報配信サーバ３０は、広告情報の要求を受け付けると、画像形成装置１０に対してユーザ認証情報を要求する。例えば、広告情報配信サーバ３０は、当該要求に対して、４０１Ｕｎａｕｔｈｏｒｉｚｅｄ応答を返す。
【００４０】
ステップ１０２（Ｓ１０２）において、広告情報取得部５１は、広告情報配信サーバ３０から送信されるユーザ認証要求を受け付けたか否かを判定する。広告情報取得部５１は、ユーザ認証要求を受け付けた場合にはＳ１０４の処理に進み、そうでない場合にはＳ１０２の処理に戻る。
【００４１】
ステップ１０４（Ｓ１０４）において、広告情報取得部５１は、認証装置１２によりＩＣカード等から取得された個人情報があるか否かを判定する。広告情報取得部５１は、個人情報がある場合にはＳ１０６の処理に進み、そうでない場合にはＳ１１０の処理に進む。
【００４２】
ステップ１０６（Ｓ１０６）において、広告情報取得部５１は、取得された個人情報を広告情報配信サーバ３０に対して送信する。例えば、広告情報取得部５１は、ユーザＩＤ及びパスワードをＡｕｔｈｏｒｉｚａｔｉｏｎヘッダとして付加し、広告情報配信サーバ３０に対して再度リクエストを送信する。
【００４３】
広告情報配信サーバ３０は、ユーザＩＤ及びパスワードを受け付けると、認証サーバ８０を介して認証を行う。ユーザＩＤ及びパスワードが認証されると、広告情報配信サーバ３０は、画像形成装置１０から送信された個人情報（例えば、氏名など）を配信対象の広告情報提供サーバ６０に送信する。広告情報提供サーバ６０は、送信された個人情報を広告情報に挿入し、個人情報が含まれた広告情報を広告情報配信サーバ３０に送信する。広告情報配信サーバ３０は、画像形成装置１０に対して当該広告情報を配信する。
【００４４】
ステップ１０８（Ｓ１０８）において、広告情報取得部５１は、上記のようにして生成された個人情報入りの広告情報を受信する。
【００４５】
一方、ステップ１１０（Ｓ１１０）において、広告情報取得部５１は、予め設定されているゲストユーザのユーザＩＤ及びパスワードを広告情報配信サーバ３０に対して送信する。なお、広告情報取得部５１は、Ｓ１０６の処理で送信した個人情報が認証されなかった場合においてもゲストユーザに関する情報を送信する。
【００４６】
広告情報配信サーバ３０は、ゲストユーザのユーザＩＤ及びパスワードを受け付けると、認証サーバ８０を介してゲストユーザの認証を行う。ゲストユーザが認証されると、広告情報配信サーバ３０は、個人情報を空データとして配信対象の広告情報提供サーバ６０に送信する。広告情報提供サーバ６０は、個人情報が含まれうるスペースが空白である広告情報及びゲストユーザ用の広告情報のいずれかを広告情報配信サーバ３０に送信し、広告情報配信サーバ３０は、画像形成装置１０に対して当該広告情報を配信する。
【００４７】
ステップ１１２（Ｓ１１２）において、広告情報取得部５１は、上記のようにして生成されたゲストユーザ用の広告情報を受信する。
【００４８】
図８は、本発明の実施形態に係る画像形成装置１０により実行される操作画面と広告情報画面とを切り替える画面切り替え制御処理（Ｓ２０）のフローチャートである。
図８に示すように、ステップ２００（Ｓ２００）において、画像形成装置１０の制御部５３は、通常の操作画面を表示装置１１に表示する。
【００４９】
ステップ２０２（Ｓ２０２）において、広告表示判定部５２は、ユーザの操作が行われなくなってから所定期間経過したか否かを判定する。ユーザの操作が所定期間ない場合、広告表示判定部５２はＳ２０４の処理に進み、所定期間経過する前にユーザの操作が行われた場合、画像形成装置１０は、Ｓ２００の処理に戻る。
【００５０】
ステップ２０４（Ｓ２０４）において、制御部５３は、表示装置１１にＷｅｂブラウザを表示する。また、広告表示判定部５２は、広告情報を取得する旨の通知を広告情報取得部５１に対して出力する。広告情報取得部５１が当該通知を受け付けると、広告情報取得処理（Ｓ１０；図７）が実行される。
【００５１】
ステップ２０６（Ｓ２０６）において、制御部５３は、広告情報取得部５１により取得された広告情報をＷｅｂブラウザ上に表示する。
【００５２】
ステップ２０８（Ｓ２０８）において、制御部５３は、ＵＩ装置２１などを介して例えばコピー等の操作指示を受け付けたか否かを判定する。制御部５３は、操作指示を受け付けた場合、Ｗｅｂブラウザを非表示にして広告情報を消し、Ｓ２００の処理に戻る。また、制御部５３は、操作指示を受け付けない場合、Ｓ２０８の処理に戻る。この場合、広告情報が表示装置１１に表示された状態が継続する。
【００５３】
図９は、広告情報提供サーバ６０により提供されて画像形成装置１０により表示又は印刷された広告情報を例示する図である。
図９（Ａ）は、個人情報が認証されたユーザに対して配信される広告情報を例示する。図９（Ａ）に示されるように、広告情報は、商品の１０％オフクーポン券であり、この広告情報には、ユーザの氏名が含まれている。
【００５４】
個人情報が認証された場合、画面には、印刷指示を行うための例えば印刷ボタン及びメール送信指示を行うための例えばメールボタンが表示される。したがって、印刷ボタンが押下されると広告情報が印刷され、メールボタンが押下されると広告情報が個人情報に含まれるメールアドレスに対して送信される。図９（Ｂ）は、図９（Ａ）に示される印刷ボタンが押下されて出力された印刷結果を例示する。図９（Ｂ）に示されるように、印刷された広告情報には、個人情報が含まれている。
【００５５】
図９（Ｃ）は、ゲストユーザ及び個人情報が認証されなかったユーザに対して配信される広告情報を例示する。図９（Ｃ）に示されるように、広告情報には、個人情報が含まれていない。また、画面には、印刷ボタンは表示される一方、メールボタンは表示されない。図９（Ｄ）は、図９（Ｃ）に示される印刷ボタンが押下されて出力された印刷結果を例示する。図９（Ｄ）に示されるように、印刷された広告情報には、個人情報は含まれない。この場合、個人情報が含まれうる箇所は、空欄となる。
【００５６】
図１０は、サービス情報提供サーバ７０により提供されて画像形成装置１０により表示又は印刷されたサービス情報を例示する図である。
図１０（Ａ）は、個人情報が認証されたユーザに対して配信されるサービス情報を例示する。図１０（Ａ）に示されるように、サービス情報は、公演のチケット販売情報であり、画面には、チケットの購入指示を行うための購入ボタン及び詳細情報を印刷するための案内ボタンが表示される。また、チケットの種類は、例えばラジオボタンで選択可能に表示される。
【００５７】
図１０（Ｂ）は、図１０（Ａ）に示される案内ボタンが押下されて出力された印刷結果を例示する。図１０（Ｃ）は、図１０（Ａ）に示される購入ボタンが押下されて表示された画面を例示する。図１０（Ｃ）に示されるように、チケットの種類が選択されて購入ボタンが押下されると、画像形成装置１０の制御部５３は決済部５５を制御して、取得された認証された個人情報に基づいて、選択されたチケット代の決済を行う。
【００５８】
図１０（Ｄ）は、図１０（Ｃ）に示される印刷ボタンが押下された出力された印刷結果を例示する。図１０（Ｄ）に示されるように、決済が完了した場合、購入されたチケットの詳細が印刷される。
【００５９】
サービス情報が、ゲストユーザ及び個人情報が認証されなかったユーザのいずれかに対して配信される場合、図１０（Ａ）に示される画面において、購入ボタンは表示されず、案内ボタンだけが表示される。したがって、当該ユーザは、サービス情報の閲覧だけを表示装置１１上で行うことができる。
【図面の簡単な説明】
【００６０】
【図１】本発明の実施形態に係る画像処理システム１の構成を示す図である。
【図２】本実施形態の画像形成装置１０の外観の拡大図である。
【図３】本実施形態の画像形成装置１０のハードウェア構成を示す図である。
【図４】画像処理プログラムが実行されることにより実現される画像形成装置１０の機能構成を示すブロック図である。
【図５】広告情報配信サーバ３０に登録されている広告情報の配信先リストである。
【図６】認証サーバ８０に登録されている認証データを示す図である。
【図７】本実施形態に係る画像形成装置１０による広告情報取得処理（Ｓ１０）を示すフローチャートである。
【図８】本発明の実施形態に係る画像形成装置１０により実行される操作画面と広告情報画面とを切り替える画面切り替え制御処理（Ｓ２０）のフローチャートである。
【図９】広告情報提供サーバ６０により提供されて画像形成装置１０により表示又は印刷された広告情報を例示する図である。
【図１０】サービス情報提供サーバ７０により提供されて画像形成装置１０により表示又は印刷されたサービス情報を例示する図である。
【符号の説明】
【００６１】
１０ 画像形成装置
１１ 表示装置
１２ 認証装置
１６ ＣＰＵ
１７ メモリ
１８ 記憶装置
１９ 印刷装置
２０ 通信インタフェース（ＩＦ）
２１ ユーザインタフェース（ＵＩ）装置
３０ 広告情報配信サーバ
４０ ネットワーク
５１ 広告情報取得部
５２ 広告表示判定部
５３ 制御部
５４ メール送信部
５５ 決済部
６０ 広告情報提供サーバ
７０ サービス情報提供サーバ
８０ 認証サーバ
【図１】
0004836054.tif 000002
【図２】
0004836054.tif 000003
【図３】
0004836054.tif 000004
【図４】
0004836054.tif 000005
【図５】
0004836054.tif 000006
【図６】
0004836054.tif 000007
【図７】
0004836054.tif 000008
【図８】
0004836054.tif 000009
【図９】
0004836054.tif 000010
【図１０】
0004836054.tif 000011